(57)【要約】      （修正有）【課題】複数の人の間に配置されて、人の口や鼻からの飛沫を遮断する飛沫遮断装置を提供する。【解決手段】複数の噴射穴８を有するノズル筒体１、複数の吸込み穴１５を有する吸込み筒体３及び空気清浄機４を備える。吸込み筒体は、各吸込み穴を各噴射穴に向けて配置され、流れ空間ＲＰを隔ててノズル筒体に平行に配置される。空気清浄機は、ノズル筒体及び吸込み筒体に接続されて、吸込み筒体内の空気を吸引及び清浄化して、清浄空気をノズル筒体に吐出する。清浄空気を各噴射穴から流れ空間に噴射し、各吸込み穴から吸込み筒体内に吸込むことで、複数人の間の流れ空間にエアーカーテンＣＡを形成する。【選択図】図２２
0003230876.tif 000002
【実用新案登録請求の範囲】
【請求項１】
複数の人の間に配置される飛沫遮断装置であって、
一方のノズル筒端が閉塞された筒状に形成され、ノズル筒中心線の方向にノズル筒長さを有するノズル筒体と、
一方の吸込み筒端が閉塞された筒状に形成され、吸込み筒中心線の方向に吸込み筒長さを有する吸込み筒体と、
前記ノズル筒体の他方のノズル筒端、及び前記吸込み筒体の他方の吸込み筒端に接続され、前記吸込み筒体内の空気を吸引及び清浄して、清浄空気を前記ノズル筒体に吐出する空気清浄機と、を備え、
前記ノズル筒体は、
噴射穴中心点を前記ノズル筒中心線に位置して一方及び他方のノズル筒端の間に形成され、及び前記ノズル筒中心線の方向に噴射穴間隔を隔てて配置され、前記ノズル筒体内から清浄空気を噴射する複数の噴射穴を有し、
前記吸込み筒体は、
一方及び他方の吸込み筒端の間に形成され、前記吸込み筒体内に空気を流入する吸込み穴を有し、
前記吸込み穴を前記噴射穴に向けて配置され、
前記ノズル筒中心線と直交する並列方向において、前記ノズル筒体に流れ空間を隔てて配置され、
前記吸込み穴の吸込み穴中心点を前記ノズル筒中心線に位置して、前記ノズル筒体に平行に配置される
ことを特徴とする飛沫遮断装置。
【請求項２】
前記吸込み筒体は、
吸込み穴中心点を前記吸込み筒中心線に位置して一方及び他方のノズル筒端の間に形成され、及び前記吸込み筒中心線の方向に吸込み穴間隔を隔てて配置され、前記吸込み筒体内に空気を流入する複数の吸込み穴を有し、
前記各吸込み穴を前記噴射穴に向けて配置され、
前記各吸込み穴の吸込み穴中心点を前記ノズル筒中心線に位置して、前記ノズル筒体に平行に配置される
ことを特徴とする請求項１に記載の飛沫遮断装置。
【請求項３】
複数の人の間に配置される飛沫遮断装置であって、
一方のノズル筒端が閉塞された筒状に形成され、ノズル筒中心線の方向にノズル筒長さを有するノズル筒体と、
一方の吸込み筒端及び他方の吸込み筒端に開口する吸込み穴を有し、一方の吸込み筒端から空気を前記吸込み穴に流入する吸込み筒体と、
前記ノズル筒体の他方のノズル筒端、及び前記吸込み筒体の他方の吸込み筒端に接続され、前記吸込み穴内の空気を吸引及び清浄して、清浄空気を前記ノズル筒体に吐出する空気清浄機と、を備え、
前記ノズル筒体は、
噴射穴中心点を前記ノズル筒中心線に位置して一方及び他方のノズル筒端の間に形成され、及び前記ノズル筒中心線の方向に噴射穴間隔を隔てて配置され、前記ノズル筒体から清浄空気を噴射する複数の噴射穴を有し、
前記吸込み筒体は、
一方の吸込み筒端を前記噴射穴に向けて配置され、
前記ノズル筒中心線と直交する方向において、一方の吸込み筒端及び前記ノズル筒体の間に流れ空間を隔てて配置され、
一方の吸込み筒端における前記吸込み穴の吸込み穴中心点を前記ノズル筒中心線に位置して配置される
ことを特徴とする飛沫遮断装置。
【考案の詳細な説明】
【技術分野】
【０００１】
本考案は、複数の人の間に配置され、人の口や鼻からの飛沫を遮断する飛沫遮断装置に関する。
【背景技術】
【０００２】
人の口や鼻からの飛沫を防止する技術として、特許文献１は衛生マスクを開示する。衛生マスクは、人の口や鼻を含む呼吸器に隙間を隔てて配置される呼吸器前方カバー体を有する。
【先行技術文献】
【特許文献】
【０００３】
【特許文献１】特開２０１３−１３７６２号公報
【考案の概要】
【考案が解決しようとする課題】
【０００４】
特許文献１では、人の口や鼻を含む呼吸器からの飛沫は、呼吸器及び呼吸器前方カバー体との間の隙間から飛散する。
【０００５】
本考案は、複数の人の間に配置することで、人の口や鼻からの飛沫を遮断できる飛沫遮断装置を提供することにある。
【課題を解決するための手段】
【０００６】
本考案に係る請求項１は、複数の人の間に配置される飛沫遮断装置であって、一方のノズル筒端が閉塞された筒状に形成され、ノズル筒中心線の方向にノズル筒長さを有するノズル筒体と、一方の吸込み筒端が閉塞された筒状に形成され、吸込み筒中心線の方向に吸込み筒長さを有する吸込み筒体と、前記ノズル筒体の他方のノズル筒端、及び前記吸込み筒体の他方の吸込み筒端に接続され、前記吸込み筒体内の空気を吸引及び清浄して、清浄空気を前記ノズル筒体に吐出する空気清浄機と、を備え、前記ノズル筒体は、噴射穴中心点を前記ノズル筒中心線に位置して一方及び他方の吸込み筒端の間に形成され、及び前記ノズル筒中心線の方向に噴射穴間隔を隔てて配置され、前記ノズル筒体内から清浄空気を噴射する複数の噴射穴を有し、前記吸込み筒体は、一方及び他方の吸込み筒端の間に形成され、前記吸込み筒体内に空気を流入する吸込み穴を有し、前記吸込み穴を前記噴射穴に向けて配置され、前記ノズル筒中心線と直交する並列方向において、前記ノズル筒体に流れ空間を隔てて配置され、前記吸込み穴の吸込み穴中心点を前記ノズル中心線に位置して、前記ノズル筒体に平行に配置されることを特徴とする飛沫遮断装置である。
【０００７】
本考案に係る請求項２は、前記吸込み筒体は、吸込み穴中心点を前記吸込み筒中心線に位置して一方及び他方の吸込み筒端の間に形成され、及び前記吸込み筒中心線の方向に吸込み穴間隔を隔てて配置され、前記吸込み筒体内に空気を流入する複数の吸込み穴を有し、前記各吸込み穴を前記噴射穴に向けて配置され、前記各吸込み穴の吸込み穴中心点を前記ノズル筒中心線に位置して、前記ノズル筒体に平行に配置されることを特徴とする請求項１に記載の飛沫遮断装置である。
【０００８】
本考案に係る請求項３は、複数の人の間に配置される飛沫遮断装置であって、一方のノズル筒端が閉塞された筒状に形成され、ノズル筒中心線の方向にノズル筒長さを有するノズル筒体と、一方の吸込み筒端及び他方の吸込み筒端に開口される吸込み穴を有し、一方の吸込み筒端から空気を前記吸込み穴に流入する吸込み筒体と、前記ノズル筒体の他方のノズル筒端、及び前記吸込み筒体の他方の吸込み筒端に接続され、前記吸込み穴内の空気を吸引及び清浄して、清浄空気を前記ノズル筒体に吐出する空気清浄機と、を備え、前記ノズル筒体は、噴射穴中心点を前記ノズル筒中心線に位置して一方及び他方のノズル筒端の間に形成され、及び前記ノズル筒中心線の方向に噴射穴間隔を隔てて配置され、前記ノズル筒体内から清浄空気を噴射する複数の噴射穴を有し、前記吸込み筒体は、一方の吸込み筒端を前記噴射穴に向けて配置され、前記ノズル中心線と直交する方向において、一方の吸込み筒端及び前記ノズル筒体の間に流れ空間を隔てて配置され、一方の吸込み筒端における前記吸込み穴の吸込み穴中心点を前記ノズル筒中心線に位置して配置されることを特徴とする飛沫遮断装置である。
【考案の効果】
【０００９】
本考案では、ノズル筒体の各噴射穴から清浄空気を流れ空間に噴射して、流れ空間に噴射された清浄空気（空気）を吸込み筒体内に吸込むことで、複数の人の間にノズル筒体から吸込み筒体に向って流れるエアーカーテンを形成できる。
これにより、本考案は、複数の人の間にエアーカーテンを形成することで、複数の人の口や鼻からの飛沫をエアーカーテンで遮断して、飛沫が対面する人に飛散すること防止できる。
複数の人の口や鼻からの飛沫は、エアーカーテンにて遮断及び捕捉されて、エアーカーテンの流れによって吸込み筒体内に吸込まれる。
【図面の簡単な説明】
【００１０】
【図１】第１実施形態の飛沫遮断装置を示す左上方から見た斜視図である。
【図２】第１実施形態の飛沫遮断装置を示す左下方から見た斜視図である。
【図３】第１実施形態の飛沫遮断装置を示す正面図である。
【図４】第１実施形態の飛沫遮断装置を示す左側面図である。
【図５】図３のＡ−Ａ断面拡大図である。
【図６】図３のＢ−Ｂ断面拡大図である。
【図７】図３のＣ−Ｃ断面拡大図である。
【図８】第１実施形態の飛沫遮断装置において、ノズル筒体及び吸込み筒体の配置関係を示す図である。
【図９】第１及び第２実施形態の飛沫遮断装置において、ノズル筒体を示す斜視図である。
【図１０】第１及び第２実施形態の飛沫遮断装置において、ノズル筒体を示す平面図（上面図）である。
【図１１】第１及び第２実施形態の飛沫遮断装置において、ノズル筒体を示す右側面拡大図である。
【図１２】図１０のＤ−Ｄ断面拡大図である。
【図１３】第１実施形態の飛沫遮断装置において、吸込み筒体を示す斜視図である。
【図１４】第１実施形態の飛沫遮断装置において、吸込み筒体を示す正面図である。
【図１５】第１実施形態の飛沫遮断装置において、吸込み筒体の各吸込み穴の配置関係を示す底面図（下面図）である。
【図１６】第１実施形態の飛沫遮断装置において、吸込み筒体の各吸込み穴の吸込み穴直径の関係を示す底面図（下面図）である。
【図１７】図１４のＥ−Ｅ断面拡大図である。
【図１８】第１及び第２実施形態の飛沫遮断装置において、空気清浄機を示す斜視図である。
【図１９】第１及び第２実施形態の飛沫遮断装置において、空気清浄機を示す正面図である。
【図２０】図１９のＦ−Ｆ断面図である。
【図２１】第１実施形態の飛沫遮断装置をテーブルに設置した斜視図である。
【図２２】第１実施形態の飛沫遮断装置をテーブルに設置した左側面図である。
【図２３】第２実施形態の飛沫遮断装置を示す左上方から見た斜視図である。
【図２４】第２実施形態の飛沫遮断装置を示す左下方から見た斜視図である。
【図２５】第２実施形態の飛沫遮断装置を示す正面図である。
【図２６】第２実施形態の飛沫遮断装置を示す左側面図である。
【図２７】図２５のＧ−Ｇ断面拡大図である。
【図２８】第２実施形態の飛沫遮断装置をテーブルに設置した斜視図である。
【図２９】第２実施形態の飛沫遮断装置をテーブルに設置した左側面図である
【考案を実施するための形態】
【００１１】
本考案に係る第１実施形態及び第２実施形態の飛沫遮断装置について、図１乃至図２９を参照して説明する。
【００１２】
第１実施形態の飛沫遮断装置について、図１乃至図２２を参照して説明する。
【００１３】
図２２において、第１実施形態の飛沫遮断装置Ｘ（以下、「飛沫遮断装置」という）は、複数の人の間に配置されて、人の口や鼻からの飛沫を遮断する。
【００１４】
図１乃至図２２において、飛沫遮断装置Ｘは、ノズル筒体１、筒固定板２（管固定板）、吸込み筒体３、空気清浄機４、フード５（第１フード板６、第２フード板７）を備える。
【００１５】
ノズル筒体１は、図１乃至図４、及び図６乃至図１２に示すように、一方のノズル筒端１Ａが閉塞され、及び他方のノズル筒端１Ｂが開口された筒状（筒状体）に形成される。ノズル筒体１は、例えば、内径ｄ（内周直径）及び外径Ｄ（外周直径）の円筒状（円筒体）に形成される。ノズル筒体１の内径ｄは、例えば、ｄ＝３０ｍｍ、及びノズル筒体１の外径Ｄは、例えば、Ｄ＝３１ｍｍである。
ノズル筒体１は、ノズル筒中心線ａの方向ＬＲ（左右方向ＬＲ）にノズル筒長さＬ１を有する。ノズル筒長さＬ１は、例えば、Ｌ１＝９００ｍｍである。
【００１６】
ノズル筒体１は、図９乃至図１２に示すように、清浄空気を噴射する複数（３以上）の噴射穴８（ノズル穴）を有する。各噴射穴８は、ノズル筒体１から清浄空気を噴射する。各噴射穴８は、同一の噴射穴直径ｅの円形穴である。各噴射穴８の噴射穴直径ｅは、例えば、ｅ＝１．５ｍｍである。
【００１７】
各噴射穴８は、図９乃至図１２に示すように、噴射穴中心点ｂ（噴射穴中心／噴射穴中心線）をノズル筒体１のノズル筒中心線ａ（ノズル筒中心線ａ上）に位置（一致）して、一方のノズル筒端１Ａ及び他方のノズル筒端１Ｂの間に形成される。各噴射穴８は、ノズル筒中心線ａの方向ＬＲに噴射穴間隔Ｐ１，Ｐ２，Ｐ３（噴射穴ピッチＰ１，Ｐ２，Ｐ３）を隔てて、ノズル筒体１に配置（形成）される。
ノズル筒体１は、ノズル筒中心線ａの方向ＬＲにおいて、一方のノズル筒端１Ａ及び他方のノズル筒端１Ｂの間に形成される３以上の噴射穴８、例えば、５３個の噴射穴８を有する。
【００１８】
３以上の噴射穴８のうち、最も一方のノズル筒端１Ａ側の噴射穴８（一方筒端側・噴射穴８Ａ）は、図１０に示すように、ノズル筒中心線ａの方向ＬＲにおいて、一方のノズル筒端１Ａに一方筒端側・噴射穴間隔Ｐ２（一方筒端側・噴射穴ピッチＰ２）を隔てて、ノズル筒体１に配置（形成）される。
３以上の噴射穴８のうち、最も他方のノズル筒端１Ｂ側の噴射穴８（他方筒端側・噴射穴８Ｂ）は、図１０に示すように、ノズル筒中心線ａの方向ＬＲにおいて、他方のノズル筒端１Ｂに他方筒端側・噴射穴間隔Ｐ３（他方筒端側・噴射穴ピッチＰ３を隔てて、ノズル筒体１に配置（形成）される。
残りの噴射穴８（例えば、５１個の噴射穴８）は、一方筒端側・噴射穴８（８Ａ）及び他方筒端側・噴射穴８（８Ｂ）の間において、ノズル筒中心線ａの方向ＬＲに同一の噴射穴間隔Ｐ１を隔てて、ノズル筒体１に配置（形成）される。
各噴射穴８（８Ａ，８Ｂ）において、噴射穴間隔Ｐ１、一方筒端側・噴射穴間隔Ｐ２、及び他方筒端側・噴射穴間隔Ｐ３は、例えば、噴射穴間隔Ｐ１を各筒端側・噴射穴間隔Ｐ２，Ｐ３より小さい間隔（Ｐ１＜Ｐ２，Ｐ３）とし、一方筒端側・噴射穴間隔Ｐ２を他方筒端側・噴射穴間隔Ｐ３より小さい間隔（Ｐ２＜Ｐ３）とする。
各噴射穴間隔Ｐ１，Ｐ２，Ｐ３は、例えば、噴射穴間隔Ｐ１＝１５ｍｍ、一方筒端側・噴射穴間隔Ｐ２＝４５ｍｍ、他方筒端側・噴射穴間隔Ｐ３＝７５ｍｍとする（Ｐ１＜Ｐ２＜Ｐ３）である。
【００１９】
各噴射穴８（８Ａ，８Ｂ）は、図９乃至図１２に示すように、ノズル筒中心線ａの方向ＬＲ（ノズル筒中心線ａ）と直交する並列方向ＵＤ（上下方向ＵＤ）において、ノズル筒体１を貫通して、ノズル筒体１内（ノズル筒体１の内周面１Ｅ）及びノズル筒体１の外周面１Ｆに開口される。
各噴射穴８（８Ａ，８Ｂ）は、ノズル筒中心線ａの方向ＬＲと直交する並列方向ＵＤにおいて、同一方向（上方向）にノズル筒体１を貫通して、ノズル筒体１の内周面１Ｅ及び外周面１Ｆに開口される。
【００２０】
筒固定板２は、図１、図７、図９、図１１及び図１２に示すように、に示すように、ノズル筒体１の周方向において、噴射穴８（噴射穴中心点ｂ）に角度：１８０度（１８０°）の間隔を隔てて配置される。筒固定板２は、板表平面９Ａ（一方の板平面）をノズル筒体１の外周面１Ｆに当接して、ノズル筒中心線ａに平行に配置される。筒固定板２は、ノズル筒中心線ａの方向ＬＲにおいて、一方のノズル筒端１Ａ及び他方のノズル筒端１Ｂの間に延在されて、ノズル筒体１に固定される。
【００２１】
吸込み筒体３は、図１乃至図５、図７、図８及び図１３乃至図１７に示すように、一方の吸込み筒端３Ａが閉塞され、及び他方の吸込み筒端３Ｂが開口された筒状（筒状の直方体）に形成される。吸込み筒体３は、吸込み筒中心線ｃの方向ＬＲ（左右方向ＬＲ）に吸込み筒長さＬ２を有する筒状の直方体に形成される。
吸込み筒体３は、吸込み筒中心線ｃ（吸込み筒中心線ｃの方向ＬＲ）と直交する並列方向ＵＲ（上下方向ＵＲ）に吸込み筒高さＴ２、吸込み筒中心線ｃの（吸込み筒中心線ｃの方向Ｌ）Ｒ及び吸込み管中心線と直交する並列方向ＵＤに直交する対面方向ＦＲ（前後方向ＲＵ）に吸込み筒幅Ｈ２を有する。
吸込み筒体３の吸込み筒長さＬ２は、ノズル筒長さＬ１より長い筒長さを有する。吸込み筒長さＬ２は、例えば、Ｌ２＝１２００ｍｍである（Ｌ２＞Ｌ１）。
【００２２】
吸込み筒体３は、図１３乃至図１７に示すように、吸込み筒体３内に空気を流入する複数（３以上）の吸込み穴１５を有する。
各吸込み穴１５は、吸込み穴中心点ｇ（吸込み穴中心／吸込み穴中心線ｇ）を吸込み筒体３の吸込み筒中心線ｃ（吸込み筒中心線ｃ上）に位置（一致）して、一方の吸込み筒端３Ａ及び他方の吸込み筒端３Ｂの間に形成される。各吸込み穴１５は、吸込み筒中心線ｃの方向ＬＲに吸込み穴間隔Ｐ４，Ｐ５，Ｐ６（吸込み穴ピッチＰ４，Ｐ５，Ｐ６）を隔てて、吸込み筒体３に配置（形成）される。
吸込み筒体３は、吸込み筒中心線ｃの方向ＬＲにおいて、一方の吸込み筒端３Ａ及び他方の吸込み筒端３Ｂの間に配置される３以上の吸込み穴１５、例えば、７個の吸込み穴１５を有する。
【００２３】
３以上の吸込み穴１５のうち、最も一方の吸込み筒端３Ａ側の吸込み穴１５（一方筒端側・吸込み穴１５Ａ）は、図１５に示すように、吸込み筒中心線ｃの方向ＬＲにおいて、一方の吸込み筒端３Ａに一方筒端側・吸込み穴間隔Ｐ５（一方筒端側・吸込み穴ピッチＰ５）を隔てて、吸込み筒体３に配置（形成）される。
３以上の吸込み穴１５のうち、最も他方の吸込み管端３Ｂ側の吸込み穴１５（他方筒端側・吸込み穴１５Ｂ）は、図１５に示すように、吸込み筒中心線ｃの方向ＬＲにおいて、他方の吸込み筒端３Ｂに他方筒端側・吸込み穴間隔Ｐ６（他方筒端側・吸込み穴ピッチＰ６）を隔てて、吸込み筒体３に配置（形成）される。
残りの各吸込み穴１５（例えは、５個の吸込み穴１５）は、一方筒端側・吸込み穴１５（１５Ａ）及び他方筒端側・吸込み穴１５（１５Ｂ）の間に形成（配置）される。残りの各吸込み穴１５は、吸込み筒中心線ｃの方向ＬＲに同一の吸込み穴間隔Ｐ４（吸込み穴ピッチＰ４）を隔てて、吸込み筒体３に配置（形成）される。
各吸込み穴１５において、吸込み穴間隔Ｐ４、一方筒端側・吸込み穴間隔Ｐ５、他方筒端側・吸込み穴間隔Ｐ６は、例えば、吸込み穴間隔Ｐ４を各筒端側・吸込み穴間隔Ｐ５，ｐ６より大きい間隔（Ｐ４＞Ｐ５，Ｐ６）とし、一方筒端側・吸込み穴間隔Ｐ４を他方筒端側・吸込み穴間隔Ｐ５より小さい間隔（Ｐ４＜Ｐ５）とする。
各吸込み穴間隔Ｐ４，Ｐ５，Ｐ６は、例えば、吸込み穴間隔Ｐ４＝１５６ｍｍ、一方筒端側・吸込み穴間隔Ｐ５＝１１４ｍｍ、他方筒端側・吸込み穴間隔Ｐ６＝１５０ｍｍである（Ｐ４＞Ｐ６＞Ｐ５）。
【００２４】
各吸込み穴１５は、図１６に示すように、例えば、異なる吸込み穴直径ｈ１，ｈ２，ｈ３，…の円形穴に形成される。各吸込み穴１５は、噴射穴８の噴射穴直径ｅより大径の吸込み穴直径ｈ１，ｈ２，ｈ３，…を有する。
【００２５】
各吸込み穴１５は、図１５に示すように、吸込み筒中心線ｃの方向ＬＲにおいて、吸込み筒長さＬ２の筒中心点ｑ（各吸込み筒端３Ａ，３Ｂの間における吸込み筒中心線ｃの筒中心点ｑ）から一方の吸込み筒端３Ａ又は他方の吸込み筒端３Ｂに向うに連れて大径となる吸込み穴直径ｈ１，ｈ２，ｈ３，…に形成される。
各吸込み穴１５は、吸込み筒中心線ｃの方向ＬＲにおいて、一方の吸込み筒端３Ｂから、一方筒端側・吸込み穴１５Ａ（１番目の吸込み穴）、２番目の吸込み穴１５Ｃ、３番目の吸込み穴１５Ｄ、４番目（真中）の吸込み穴１５Ｅ、５番目の吸込み穴１５Ｆ、６番目の吸込み穴１５Ｇ、他方筒端側・吸込み穴１５Ｂの順に、吸込み筒体３に配置（形成）される。
各吸込み穴１５（１５Ａ〜１５Ｆ）は、図１６に示すように、筒中心点ｑから一方の吸込み筒端３Ａに向けて、４番目（真中）の吸込み穴１５Ｅの吸込み穴直径ｈ１（例えば、ｈ１＝３７．５ｍｍ）＜３番目の吸込み穴１５Ｄの吸込み穴直径ｈ２（例えば、ｈ２＝４２．５ｍｍ）＜２番目の吸込み穴１５Ｃ及び一方筒端側・吸込み穴１５Ａの吸込み穴直径ｈ３（例えば、ｈ３＝５０ｍｍ）であり、筒中心点ｑから他方の吸込み筒端３Ｂに向けて、４番目（真中）の吸込み穴１５Ｅの吸込み穴直径ｈ１＜５番目の吸込み穴１５Ｆの吸込み穴直径ｈ４（例えば、ｈ４＝３８ｍｍ）＜６番目の吸込み穴１５Ｇの吸込み穴直径ｈ５（例えば、ｈ５＝３８．５ｍｍ）＜他方筒端側・吸込み穴１５Ｂの吸込み穴直径ｈ６（例えば、ｈ６＝３９．５ｍｍ）である。
なお、各吸込み穴１５は、同一の吸込み穴直径の円形穴であっても良い。
【００２６】
各吸込み穴１５（１５Ａ〜１５Ｇ）は、吸込み筒中心線ｃ（吸込み筒中心線ｃの方向ＬＲ）と直交する並列方向ＵＤ（上下方向ＵＤ）において、吸込み筒体３を貫通して、吸込み筒体３内及び吸込み筒体３外に開口される。
各吸込み穴１５（１５Ａ〜１５Ｇ）は、吸込み筒中心線ｃの方向ＬＲと直交する並列方向ＵＤにおいて、同一方向（下方向）に吸込み筒体３を貫通して、吸込み筒体３の内面及び外面に開口される。
【００２７】
吸込み筒体３は、図１乃至図８に示すように、各吸込み穴１５をノズル筒体１の噴射穴８に向けて配置される。吸込み筒体３は、ノズル筒中心線ａ（ノズル筒中心線ａの方向ＬＲ）と直交する並列方向ＵＤ（以下、「並列方向ＵＤ」という）において、ノズル筒体１に流れ空間ＲＰ（流れ間隔ＲＰ）を隔てて配置される。吸込み筒体３は、各吸込み穴１５（１５Ａ〜１５Ｇ）の吸込み穴中心点ｇ（吸込み穴中心線ｇ）を並列方向ＵＤに向けて、各吸込み穴１５（１５Ａ〜１５Ｇ）を各噴射穴８（８Ａ，８Ｂ）に対向（対峙）して配置される。吸込み筒体３は、一方の吸込み筒端３Ａをノズル筒体１の一方のノズル筒端１Ａ側に位置して配置される。
吸込み筒体３は、図１乃至図８に示すように、並列方向ＵＤにおいて、吸込み筒中心線ｃを、ノズル筒中心線ａに並列（ノズル筒中心線ａに一致）して、ノズル筒体１に平行に配置される。吸込み筒体３は、各吸込み穴１５の吸込み穴中心点ｇをノズル筒中心線ａ（ノズル筒中心線ａ上）に位置して、ノズル筒体１に平行に配置される。
これにより、ノズル筒体１の各噴射穴８（８Ａ，８Ｂ）は、並列方向ＵＤにおいて、ノズル筒体１を貫通して、ノズル筒体１内（内周面１Ｅ）及び流れ空間ＲＰに開口される。
吸込み筒体３の各吸込み穴１５（１５Ａ〜１５Ｇ）は、並列方向ＵＤにおいて、吸込み筒体３を貫通して、吸込み筒体３内及び流れ空間ＲＰに開口される。
各噴射穴８（８Ａ，８Ｂ）及び各吸込み穴１５（１５Ａ〜１５Ｇ）は、流れ空間ＰＲを隔てて対向（対峙）して配置される。流れ空間ＲＰは、例えば、ＰＲ＝９００ｍｍ〜１１００ｍｍである。
【００２８】
吸込み筒体３は、図１乃至図４、図７及び図８に示すように、吸込み筒長さＬ２の筒中心点ｑを、ノズル筒長さＬ１の筒中心点ｐでノズル筒中心線ａと直交する並列直線ＬＰに位置（一致）して、ノズル筒体１に平行に配置される。
吸込み筒長さＬ２の筒中心点ｑは、各吸込み筒端３Ａ，３Ｂの間において、吸込み筒中心線ｃの真中（中心又は中央）に位置する点である。
ノズル筒長さＬ１の筒中心線ｐは、各ノズル筒端１Ａ，１Ｂの間において、ノズル筒中心線ａの真中（中心又は中央）に位置する点である。
これにより、吸込み筒体３は、吸込み筒中心線ｃ（ノズル筒中心線ａ）の方向ＬＲにおいて、一方の吸込み筒端３Ａ（一方の吸込み筒端側）を一方のノズル筒端１Ａから突出し、及び他方の吸込み筒端３Ｂ（他方の吸込み筒端側）を他方ノズル筒端１Ｂから突出して、ノズル筒体１に平行に配置される。
【００２９】
複数の吸込み穴１５（１５Ａ〜１５Ｇ）のうち、一方筒端側・吸込み穴１５（１５Ａ）は、図８に示すように、一方筒端側・噴射穴８（８Ａ）より一方のノズル筒端１Ａ側に位置して、吸込み筒体３に配置（形成）され、及び流れ空間ＲＰを隔ててノズル筒体１（一方のノズル筒端１Ａ側）に対向（対峙）される。
複数の吸込み穴１５（１５Ａ〜１５Ｇ）のうち、他方筒端側・吸込み穴１５（１５Ｂ）は、図８に示すように、他方筒端側・噴射穴８（８Ｂ）より他方のノズル筒端１Ｂ側に位置して、吸込み筒体３に配置（形成）され、及び流れ空間ＲＰを隔ててノズル筒体１（他方のノズル筒端１Ｂ側）に対向（対峙）される。
【００３０】
空気清浄機４は、図１乃至図４、図１８乃至図２０に示すように、ノズル筒体１の他方のノズル筒端１Ｂ（ノズル筒端１Ｂ側）、及び吸込み筒体３の他方の吸込み筒端３Ｂ（吸込み筒端３Ｂ側）に接続される。空気清浄機４は、外気の空気ＡＲ及び吸込み筒体３内の空気を吸引及び清浄して、清浄空気をノズル筒体１に吐出する。
【００３１】
空気清浄機４及びノズル筒体１は、図１乃至図４に示すように、給気管１８にて接続される。給気管１８は、ノズル筒体１の他方のノズル筒端１Ｂに一方の給気管端１８Ａを接続して、清浄空気をノズル筒体１に流入する。空気清浄機４は、給気管１８の他方の給気管端１８Ｂに接続される。
【００３２】
空気清浄機４及び吸込み筒体３は、排気管１９にて接続される。排気管１９は、吸込み筒体の他方の吸込み筒端３Ｂ（吸込み筒端３Ｂ側）に一方の排気管端１９Ａを接続して、吸込み筒体３から空気を流出する。空気清浄機４は、排気管１９の他方の排気管端１９Ｂに接続される。
【００３３】
空気清浄機４は、図１８乃至図２０に示すように、収納ケース２１、清浄フィルタ２２、吸引用の羽根車２３、及び駆動モータ２４を備える。
【００３４】
収納ケース２１は、図２０に示すように、吸引室２５及び吐出室２６に区画され、吸引口２７、吐出口２８及び外気取入れ口２９を有する。吸引口２７は、吸引室２５に開口して、収納ケース２１の外側に設けられる。吸引口２７には、排気管１９の他方の排気管端１９Ｂが接続される。吐出口２８は、吐出室２６に開口して、収納ケース２１の外側に設けられる。吐出口２８には、給気管１８の他方の給気管端１８Ｂが接続される。外気取入れ口２９は、収納ケース２１に形成されて、吸引室２５を収納ケース２１の外側に連通する。
【００３５】
清浄フィルタ２２は、図２０に示すように、吸引室２５内に配置される。清浄フィルタ２２は、吸引室２５において、吸引口２７及び外気取入れ口２９の間に配置される。
羽根車２３は、吸引室２５の清浄フィルタ２２に並列して、吐出室２６内に配置される。駆動モータ２４は、羽根車２３に連結されて、羽根車２３を回転する。
【００３６】
空気清浄機４は、図１８乃至図２０に示すように、駆動モータ２４の駆動によって羽根車２３を回転することで、吸引口２７から排気管１９内（吸込み筒体３内）の空気を吸引室２５に吸引し、及び外気取入れ口２９から外気の空気を吸引室２５に吸引する。
空気清浄機４において、吸引室２５に吸引された空気（排気管１９内の空気、及び外気の空気）は、羽根車２３の回転によって、清浄フィルタ２２内を通過して、羽根車２３に流れて、吐出口２６から給気管１８（ノズル筒体１）に吐出される。吸引された空気は、清浄フィルタ２２よって清浄されて、吐出口２８から給気管１８（ノズル筒体１）に流出される。
【００３７】
フード５は、図１乃至図５、及び図７に示すように、第１フード板６及び第２フード板７を有する。
【００３８】
第１フード板６は、図１乃至図５、及び図７に示すように、吸込み筒中心線ｃ（ノズル筒中心線ａ）の方向ＬＲ及び並列方向ＵＤと直交する筒幅方向ＦＲ（以下、「管幅方向ＦＲ」という）において、吸込み筒体３の一方の吸込み筒幅端３Ｃに固定される。
第２フード板７は、図１、図２、図４、図５及び図７に示すように、筒幅方向ＦＲ（前後方向ＦＲ）において、吸込み管３の他方の吸込み筒幅端３Ｄに固定される。
第１及び第２フード板６，７は、吸込み筒中心線ｃの方向ＬＲにおいて、各吸込み筒端３Ａ，３Ｂの間に延在して配置される。
【００３９】
第１フード板６は、図４に示すように、一方の吸込み筒幅端３Ｃ（並列直線ＬＰ）に鋭角度θ（例えば、θ＝６０度）をなして、一方の吸込み筒幅端３Ｃから第２フード板７に離間しつつノズル筒体１に向けて延在される。第１フード板６は、鋭角度θでノズル筒体１に向けて傾斜されて、並列方向ＵＤにおいて、ノズル筒体１にフード板間隔ＲＳを隔てて配置される。
【００４０】
第２フード板７は、図４に示すように、他方の吸込み筒幅端３Ｄ（並列直線ＬＰ）に鋭角度θ（例えば、θ＝６０度）をなして、他方の吸込み筒幅端３Ｄから第１フード板６に離間しつつノズル筒体１に向けて延在される。第２フード板７は、鋭角度θでノズル筒体１に向けて傾斜されて、並列方向ＵＤにおいて、ノズル筒体１にフード板間隔ＲＳを隔てて配置される。フード板間隔ＲＳは、例えば、ＲＳ＝８００ｍｍである。
【００４１】
飛沫遮断装置Ｘは、図２１及び図２２に示すように、複数の人の間に配置されて、人の口や鼻からの飛沫を遮断する。
【００４２】
飛沫遮断装置Ｘは、図２１及び図２２に示すように、複数の人が対面するテーブル５０に設置される。飛沫遮断装置Ｘにおいて、ノズル筒体１は、図２１及び図２２に示すように、筒固定板２の板裏平面２Ｂをテーブル５０のテーブル板５１に当接して、テーブル板５１上に載置される。ノズル筒体１は、ノズル筒中心線ａをテーブル５０の長手方向ＬＴに向けて、テーブル５０の幅方向ＬＨの中央に配置される。ノズル筒体１は、筒固定板２をテーブル板５１に取付けることで、テーブル５０（テーブル板５１）に固定される。
【００４３】
飛沫遮断装置Ｘにおいて、ノズル筒体１をテーブル板５１に固定すると、吸込み筒体３は、図２１及び図２２に示すように、ノズル筒中心線ａと直交する並列方向ＵＤ（上下方向ＵＤ）に流れ空間ＲＰ（流れ間隔ＲＰ）を隔ててノズル筒体１に平行に配置されて、複数の人の上方に位置される。第１及び第２フード板６，７は、ノズル筒中心線ａと直交する並列方向ＵＤにフード板間隔ＲＳを隔てて、複数の人の上方に位置される。空気清浄機４は、テーブル５０の脇に設置される。
【００４４】
複数の人は、テーブル５０の幅方向ＬＨにおいて、各人の間に飛沫遮断装置Ｘ（ノズル筒体１及び吸込み筒体３）配置して、テーブル５０の各幅端５０Ａ，５０Ｂ側に起立等する。複数の人は、ノズル筒中心線ａと直交する方向ＵＤ（上下方向ＵＤ）において、ノズル筒体１及び第１及び第２フード板６，７（吸込み筒体３）の間に位置される。
これにより、複数の人は、流れ空間ＲＰを間に位置して、人の顔を対面する。
【００４５】
飛沫遮断装置Ｘは、図２０乃至図２２に示すように、空気清浄機４の駆動モータ２４を駆動する。空気清浄機４は、駆動モータ２４の駆動によって羽根車２３を回転して、外気取入れ口２９から外気の空気を吸引し、及び吸引室２５の空気を吸引する。
これにより、空気清浄機４は、吸引室２５、排気管１９を通して、一方の吸込み筒端３Ｂから吸込み筒体３内の空気を吸引する。吸込み筒体３は、空気清浄機４の吸引によって、流れ空間ＲＰの空気を各吸込み穴１５から吸込んで、他方の吸込み筒端３Ｂから排気管１９に流出する。
空気清浄機４において、吸引室２５に吸引された空気（吸込み筒体３内の空気、及び外気の空気）は、清浄フィルタ２２を通って吐出室２６に流出される。吐出室２６に流出する空気は、清浄フィルタ２２によって飛沫が捕捉されて、清浄空気となる。
【００４６】
飛沫遮断装置Ｘにおいて、空気清浄機４は、羽根車２３の回転によって、清浄空気を給気管１８に吐出する。給気管１８に吐出された清浄空気は、図２１及び図２２に示すように、給気管１８を流れて、他方のノズル筒端１Ｂからノズル筒体１内に流出される。清浄空気は、他方のノズル筒端１Ｂから一方のノズル筒端１Ａに向けてノズル筒体１内を流れる。
ノズル筒体１は、図２１及び図２２に示すように、清浄空気を各噴射穴８から噴射する。各噴射穴８は、清浄空気を吸込み筒体３に向けて流れ空間ＲＰに噴射する。
流れ空間ＲＰに噴射された清浄空気は、空気清浄機４の吸引によって、吸込み筒体３に向けて流れて、各吸込み穴１５から吸込み筒体３内に吸込まれる。
このとき、吸込み筒体３は、各筒端側・吸込み穴１５Ａ，１５Ｂを各筒端側・噴射穴８Ａ，８Ｂより各ノズル筒端１Ａ，１Ｂ側に配置しているので、全ての噴射穴８から噴射される清浄空気（空気）を確実に各吸込み穴１５から吸込む。
これにより、飛沫遮断装置Ｘは、図２１及び図２２に示すように、清浄空気がノズル筒体１から吸込み筒体３に向けて流れるエアーカーテンＣＡを流れ空間ＲＰに形成する。エアーカーテンＣＡは、ノズル筒長さＬのカーテン幅を有して、ノズル筒体１から吸込み筒体３に向って流れる。
第１及び第２フード板６，７は、エアーカーテンＣＡに流れる空気を遮断して、エアーカーテンの流れの乱れを抑制する。
【００４７】
飛沫遮断装置Ｘは、図２１及び図２２に示すように、流れ空間ＲＰ（複数の人の間）にエアーカーテンＣＡを形成することで、複数の人の口や鼻からの飛沫をエアーカーテンＣＡで遮断して、飛沫が対面する人に飛散することを防止する。複数の人の口や鼻からの飛沫は、エアーカーテンＣＡにて捕捉されて、エアーカーテンＣＡの流れによって、各吸込み穴１５から吸込み筒体３内に吸込まれる。
【００４８】
飛沫遮断装置Ｘでは、吸込み筒体３をテーブル５０に設置（テーブル板５１に固定）して、複数の人の上方にノズル筒体１を位置する構成も採用できる。
【００４９】
飛沫遮断装置Ｘにおいて、吸込み筒体３は、１つの吸込み穴を有する構成も採用でき、例えば、長方形に形成された長尺の吸込み穴である。長尺の吸込み穴は、吸込み筒中心線の方向に延存されて、一方の吸込み筒端及び他方の吸込み筒端の間に形成される。吸込み筒体３は、長尺の吸込み穴の吸込み穴中心線をノズル筒中心線に位置（一致）して、ノズル筒体１に平行に配置される。
【００５０】
第２実施形態の飛沫遮断装置について、図２３乃至図２９を参照して説明する。
なお、図２３乃至図２９において、図１乃至図２２と同一符号は、同一部材、同一構成であるので、その詳細な説明は省略する。
【００５１】
図２９において、第２実施形態の飛沫遮断装置Ｙ（以下、「飛沫遮断装置Ｙ」という）は、複数の人の間に配置されて、人の口や鼻からの飛沫を遮断する。
【００５２】
図２３乃至図２９において、飛沫遮断装置Ｙは、ノズル筒体１、筒固定板２、吸込み筒体３３、空気清浄機４、円錐台フード４５を備える。
【００５３】
飛沫遮断装置Ｙにおいて、ノズル筒体１は、図１乃至図７、及び図９乃至図１２で説明したと同一の構成である。飛沫遮断装置Ｙにおいて、筒固定板２は、図１乃至図７、及び図９乃至図１２で説明したと同様に、ノズル筒体１に固定される。
【００５４】
吸込み筒体３３は、図２７に示すように、一方の吸込み筒端３３Ａ及び他方の吸込み筒端３３Ｂに開口される吸込み穴３４を有する。吸込み筒体３３は、一方の吸込み筒端３３Ａから空気を吸込み穴３４に流入する。吸込み筒体３３は、例えば、円形の吸込み穴３４を有する円筒管（吸込み管３３）に形成される。
吸込み筒体３３は、一方の吸込み筒端３３Ａをノズル管長さＬ１より小径に形成される。吸込み筒体３３は、例えば、ノズル管長さＬ１＝９００ｍｍに対して、一方の吸込み筒端３３Ａの筒外径Ｄ１＝１２０ｍｍとする。
【００５５】
吸込み筒体３３は、図２３乃至図２７に示すように、一方の吸込み筒端３３Ａを、ノズル筒体１の噴射穴８に向けて配置される。吸込み筒体３３は、ノズル筒中心線ａと直交する並列方向ＵＤにおいて、一方の吸込み筒端３３Ａ及びノズル筒体１の間に流れ空間ＲＰ（流れ間隔ＲＰ）を隔てて配置される。吸込み筒体３３は、一方の吸込み筒端３３Ａにおける吸込み穴３４（一方の吸込み筒端３３Ａに位置する吸込み穴３４）の吸込み穴中心点ｒをノズル筒中心線ａに位置（一致）して、一方の吸込み筒端３３Ａを噴射穴８に対向（対峙）して配置される。
【００５６】
吸込み筒体３３は、図２３乃至図２５に示すように、一方の吸込み筒端３３Ａにおける吸込み穴３４の吸込み穴中心点ｒを、ノズル管長さＬ１の筒中心点ｐでノズル筒中心線ａと直交する配列直線ＬＰに位置（一致）して配置される。
【００５７】
飛沫遮断装置Ｙにおいて、空気清浄機４は、図２３及び図２５に示すように、ノズル筒体１の他方のノズル筒端１Ｂ（ノズル筒端１Ｂ側）、及び吸込み筒体３３の他方の吸込み筒端３３Ｂ（吸込み筒端３３Ｂ側）に接続される。空気清浄機４は、外気の空気及び吸込み穴３４内の空気を吸引及び清浄して、清浄空気をノズル筒体１に吐出する。
飛沫遮断装置Ｙにおいて、空気清浄機４及びノズル筒体１は、給気管１８にて接続される。
【００５８】
飛沫遮断装置Ｙにおいて、空気清浄機４は、図１８乃至図２０に示すように、駆動モータ２４の駆動によって羽根車２３を回転することで、吸引口２７から吸込み筒体３３内（吸込み穴３４内）の空気を吸引室２５に吸引し、及び外気取入れ口２９から外気の空気を吸引室２５に吸引する。
空気清浄機４において、吸引室２５に吸引された空気（吸込み穴３４内の空気、及び外気の空気）は、羽根車２３の回転によって、清浄フィルタ２２内を通過して、羽根車２３に流れて、吐出口２６から給気管１８（ノズル筒体１）に吐出される。吸引された空気は、清浄フィルタ２２によって清浄されて、吐出口２８から給気管１８（ノズル筒体１）に流出される。
【００５９】
円錐台フード４５は、図２３乃至図２７に示すように、両方のフード筒端４５Ａ，４５Ｂが開口され、一方のフード筒端４５Ａから他方のフード筒端４５Ｂに向けて段々に縮径する円錐台の筒状に形成される。円錐台フード４５は、一方のフード筒端４５Ａをノズル管長さＬ１より大径に形成した円錐台筒体である。一方のフード筒端４５Ａの筒端直径ＤＸは、例えば、ノズル筒長さＬ１＝９００ｍｍに対して、ＤＸ＝１０５０ｍｍとする。
【００６０】
円錐台フード４５は、図２３乃至図２７に示すように、一方のフード筒端４５Ａをノズル筒体１に向けて、一方の吸込み筒端３３Ａ及びノズル筒体１の間に配置される。円錐台フード４５は、一方の吸込み筒端３３Ａにおける吸込み穴３４の吸込み穴中心点ｒと同心に配置される。円錐台フード４５は、他方のフード筒端４５Ｂを一方の吸込み筒端３３Ｂに接続して、吸込み筒体３３に固定され、及び吸込み穴３４（吸込み筒体３３内）に連通される。
円錐台フード４５は、並列方向ＵＤにおいて、一方のフード筒端４５Ａ及びノズル筒体１の間にフード間隔ＲＵ（フード空間）を隔てて配置される。フード間隔ＲＵは、例えば、ＲＵ＝６５０〜８５０ｍｍである
【００６１】
飛沫遮断装置Ｙは、図２９に示すように、複数の人の間に配置されて、人の口や鼻からの飛沫を遮断する。
【００６２】
飛沫遮断装置Ｙは、図２８及び図２９に示すように、複数の人が対面するテーブル５０に設置される。飛沫遮断装置Ｙにおいて、ノズル筒体１は、図２１及び図２２で説明したと同様に、テーブル５０（テーブル板５１）に固定される。
【００６３】
飛沫遮断装置Ｙにおいて、ノズル筒体１をテーブル板５１に固定すると、吸込み筒体３３は、ノズル筒中心線ａと直交する並列方向ＵＤ（上下方向ＵＤ）において、一方の吸込み筒端３３Ａ及びノズル筒体１の間に流れ空間ＲＰ（流れ間隔）を隔てて配置されて、複数の人の上方に位置される。
【００６４】
複数の人は、テーブル５０の幅方向ＬＨにおいて、各人の間に飛沫遮断装置Ｙ（ノズル筒体１、及び一方の吸込み筒端３３Ａ）を配置して、テーブル５０の各幅端５０Ａ，５０Ｂ側に着座等する。複数の人は、ノズル筒中心線ａの方向ＬＲ（上下方向ＵＤ）において、ノズル筒体１及び円錐台フード４５の間に位置される。
これにより、複数の人は、流れ空間ＲＰを間に位置して、人の顔を対面する。
【００６５】
飛沫遮断装置Ｙは、図２８及び図２９に示すように、空気清浄機４の駆動モータ２４を駆動する。空気清浄機４は、駆動モータ２４の駆動によって羽根車２３を回転して、外気取入れ口２９から外気の空気を吸引し、及び吸引室２５の空気を吸引する。
これにより、空気清浄機４は、図１８乃至図２０に示すように、吸引室２５を通して、一方の吸込み筒端３３Ｂから吸込み筒体３３内（吸込み穴３４）の空気を吸引する。吸込み筒体３３は、空気清浄機４の吸引によって、流れ空間ＲＰの空気を一方の吸込み筒端３３Ａから吸込み穴３４に吸込んで、他方の吸込み筒端３３Ｂから空気清浄機４（吸引室２５）に流出する。
空気清浄機４において、吸引室２５に吸引された空気（吸込み穴３４内の空気、及び外気の空気）は、清浄フィルタ２２を通って吐出室２６に流出される。吐出室２６に流出する空気は、清浄フィルタ２２によって飛沫が捕捉されて、清浄空気となる。
【００６６】
飛沫遮断装置Ｙにおいて、空気清浄機４は、羽根車２３の回転によって、清浄空気を給気管１８に吐出する。給気管１８に吐出された清浄空気は、図２８及び図２９に示すように、給気管１８を流れて、他方のノズル筒端１Ｂからノズル筒体１内に流出される。清浄空気は、他方のノズル筒端１Ｂから一方のノズル筒端１Ａに向けてノズル筒体１内を流れる。
ノズル筒体１は、図２８及び図２９に示すように、清浄空気を各噴射穴８から噴射する。各噴射穴８は、清浄空気を吸込み筒体３３に向けて流れ空間ＲＰに噴射する。
流れ空間ＲＰに噴射された清浄空気は、空気清浄機４の吸引によって、吸込み筒体３に向けて流れて、一方の吸込み筒端３３Ａから吸込み穴３４内に吸込まれる。
流れ空間ＰＲに噴射された清浄空気は、図２８に示すように、一方のフード筒端４５Ａから円錐台フード４５内に流入して、円錐台フード４５に沿って流れて、一方の吸込み筒端３３Ａから吸込み穴３４内（吸込み筒体３３内）に吸込まれる。
これにより、飛沫遮断装置Ｙは、図２８及び図２９に示すように、清浄空気がノズル筒体１から吸込み筒体３３に向けて流れるエアーカーテンＣＡを流れ空間ＲＰ（フード間隔ＲＵに位置する流れ空間ＲＰ）に形成する。エアーカーテンＣＡは、ノズル筒長さＬのカーテン幅を有して、ノズル筒体１から吸込み筒体３に向って流れる。
【００６７】
飛沫遮断装置Ｙは、図２８及び図２９に示すように、流れ空間ＲＰ（複数の人の間）にエアーカーテンＣＡを形成することで、複数の人の口や鼻からの飛沫をエアーカーテンＣＡで遮断して、飛沫が対面する人に飛散することを防止する。複数の人の口や鼻からの飛沫は、エアーカーテンＣＡにて捕捉されて、エアーカーテンＣＡの流れによって、一方の吸込み筒端３３Ａから吸込み穴３４（吸込み筒体３３内）に吸込まれる。
【産業上の利用可能性】
【００６８】
本考案は、人の口や鼻からの飛沫を遮断するのに最適である。
【符号の説明】
【００６９】
Ｘ  飛沫遮断装置
１  ノズル筒体
１Ａ  一方のノズル筒端
１Ｂ  他方のノズル筒端
３  吸込み筒体
３Ａ  一方の吸込み筒端
３Ｂ  他方の吸込み筒端
４  空気清浄機
８  噴射穴
１５  吸込み穴
【図１】
0003230876.tif 000003
【図２】
0003230876.tif 000004
【図３】
0003230876.tif 000005
【図４】
0003230876.tif 000006
【図５】
0003230876.tif 000007
【図６】
0003230876.tif 000008
【図７】
0003230876.tif 000009
【図８】
0003230876.tif 000010
【図９】
0003230876.tif 000011
【図１０】
0003230876.tif 000012
【図１１】
0003230876.tif 000013
【図１２】
0003230876.tif 000014
【図１３】
0003230876.tif 000015
【図１４】
0003230876.tif 000016
【図１５】
0003230876.tif 000017
【図１６】
0003230876.tif 000018
【図１７】
0003230876.tif 000019
【図１８】
0003230876.tif 000020
【図１９】
0003230876.tif 000021
【図２０】
0003230876.tif 000022
【図２１】
0003230876.tif 000023
【図２２】
0003230876.tif 000024
【図２３】
0003230876.tif 000025
【図２４】
0003230876.tif 000026
【図２５】
0003230876.tif 000027
【図２６】
0003230876.tif 000028
【図２７】
0003230876.tif 000029
【図２８】
0003230876.tif 000030
【図２９】
0003230876.tif 000031